(57)【要約】【課題】特定の電線への電磁波ノイズの侵入を低減して複数の電線を結束することができる布線治具、布線板ユニット及び電線の結束方法を提供する。【解決手段】布線板ユニット６は布線板１０と分岐部用結わき具１とを備えている。分岐部用結わき具１は布線板１０から立設した支柱１５と本体部１６とを備えている。本体部１６は支柱１５の上端に連なるとともに、互いに間隔をあけて平行な一対の保持棒１８ａ，１８ｂと、該一対の保持棒１８ａ，１８ｂの間を三つに仕切る一対の仕切り棒１９ａ，１９ｂとを備えている。そして、複数の電線４を、それぞれ、本体部１６の互いに隣り合う一方の保持棒１８ａと一方の仕切り棒１９ａとの間と、互いに隣り合う他方の保持棒１８ｂと他方の仕切り棒１９ｂとの間と、一対の仕切り棒１９ａ，１９ｂとの間とに通す。【選択図】図５
2009037898.tif 000002
【特許請求の範囲】
【請求項１】
複数の電線を結わいて、これらの電線を布線板に布線する布線治具であって、
互いに間隔をあけて平行で且つ互いの間に前記複数の電線を通す一対の保持棒を有した治具本体を備え、
前記治具本体には、前記一対の保持棒の間を三つに仕切る一対の仕切り棒が設けられていることを特徴とする布線治具。
【請求項２】
表面上に複数の電線を布線する布線パターンが形成された布線板と、
前記布線板から立設し、且つ、前記複数の電線を結わいてこれらの電線を前記布線板に布線する布線治具と、を備えた布線板ユニットにおいて、
前記布線治具が、互いに間隔をあけて平行で且つ互いの間に前記複数の電線を通す一対の保持棒と、前記一対の保持棒の間を三つに仕切る一対の仕切り棒とを有した治具本体を備え、
前記布線治具が、前記布線パターンの前記複数の電線が互いに異なる方向に分岐する分岐部に配置されていることを特徴とする布線板ユニット。
【請求項３】
前記布線治具が、前記分岐部に設けられた前記布線治具の間で且つ前記布線パターンの直線状をなす直線部に更に設けられていることを特徴とする請求項２に記載の布線板ユニット。
【請求項４】
互いに間隔をあけて平行で且つ互いの間に前記複数の電線を通す一対の保持棒と、前記一対の保持棒の間を三つに仕切る一対の仕切り棒とを有した治具本体を備えた布線治具を用いた電線の結束方法において、
互いに隣り合う一方の保持棒と一方の仕切り棒との間に、前記複数の電線のうち電源からの電力を供給する電源回路用電線を通し、且つ、
互いに隣り合う他方の保持棒と他方の仕切り棒との間に、前記複数の電線のうち特定の電線を通すとともに、
前記一対の仕切り棒の間に、前記複数の電線のうち前記電源回路用電線及び前記特定の電線を除いた他の電線を通した後、
前記複数の電線の外周に結束部材を巻いて当該複数の電線を結束することを特徴とする電線の結束方法。
【発明の詳細な説明】
【技術分野】
【０００１】
本発明は、自動車等の移動体に配索されて、電子機器同士を接続するワイヤハーネス等を構成する電線を布線する布線板に設けられた布線治具、布線板ユニット及び布線治具を用いた電線の結束方法に関する。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数のサブハーネスを備えている。サブハーネスは、前述した自動車に搭載される系統（システム）毎に設けられている。各サブハーネスは、複数の電線と、該電線の端部などに取り付けられたコネクタなどを備えている。
【０００３】
電線は、導電性の芯線と該芯線を被覆する絶縁性の合成樹脂からなる被覆部とを備えている。電線は、所謂被覆電線である。コネクタは、端子金具と該端子金具を収容するコネクタハウジングとを備えている。端子金具は、導電性の板金などからなり、電線の端部に取り付けられて該電線の芯線と電気的に接続する。コネクタハウジングは、絶縁性の合成樹脂からなり箱状に形成されている。ワイヤハーネスは、コネクタハウジングが前述した電子機器などと結合することにより、端子金具を介して各電線が前述した電子機器と電気的に接続して、前述した電子機器に所望の電力や信号を伝える。
【０００４】
前記ワイヤハーネスを組み立てる際には、切断装置で電線を所定の長さに切断した後、該電線の端部などの被覆部を除去（皮むき）して端子金具を取り付ける。その後、端子金具をコネクタハウジング内に挿入する。こうして、一旦、前述したサブハーネスを組み立てる。そして、所定箇所にグロメットやプロテクタなどの外装品を取り付けて、組み立てられたサブワイヤハーネスを互いに組み付け、ワイヤハーネスを組み立てる。
【０００５】
ワイヤハーネスの組み付け作業には、周知である布線板を用いている。この布線板上には、ワイヤハーネスの最終形態を示す布線平面形に対応した布線経路に沿わせるように、例えば、Ｕ字形などの多種多様な形状の電線掛け具を立設しており、それらの電線掛け具の各々に複数の電線を引掛けて布線（配索）される。そして、複数の電線を束ねるために分岐部などにテープを巻き、治具より取り外すことで所望のワイヤハーネスが得られる。
【０００６】
そして、前述した複数の電線を束ねるためのテープ巻き作業を効率よく行うために、従来から様々な電線掛け具が提案されている（例えば、特許文献１参照）。
【０００７】
前述した電線掛け具としての特許文献１に開示された布線治具は、大径Ｕ字状の電線挿入部と、該電線挿入部の中心位置から外側に突出して布線板に着脱自在に取り付けられるポール部と、電線挿入部の内側の中心位置に該電線挿入部に着脱自在に設けられた特定電線結束具と、を備えている。特定電線結束具は、円環状に形成され且つ電線挿入部に装着された際に該電線挿入部から離れた側に内外を連通して開口する特定電線挿入口を有している。
【０００８】
前述した構成の布線治具は、特定電線結束具の特定電線挿入口から内部に特定の電線、例えば、スピーカーの音声電力を供給するスピーカー回路用電線や電源からの電力を供給する電源回路用電線などの、電磁波ノイズの侵入や電磁波ノイズを外部に発することを防止する必要がある電線を径方向から挿入するとともに、電線挿入部内に複数の他の電線を径方向から挿入し且つ特定の電線の外周に配して、これらの特定の電線と複数の他の電線とを特定電線結束具と一緒に束ねた後、外周にテープを巻いて結束することにより、ワイヤハーネスの断面中心部に特定の電線を位置させる。
【０００９】
そして、前述した布線治具は、電磁波ノイズの侵入や電磁波ノイズを外部に発することを防止する必要がある特定の電線を、ワイヤハーネスの断面中心部に簡単に位置決めすることができるとともに、テープ巻き作業を効率よく行うことができる。
【特許文献１】特開平７−２４９３２５号公報
【発明の開示】
【発明が解決しようとする課題】
【００１０】
しかしながら、前述した布線治具では、電源からの電力を供給する電源回路用電線と、この電源回路用電線の発する電磁波ノイズの影響を受けやすい特定の電線、例えば、スピーカーの音声電力を供給するスピーカー回路用電線とを束ねた場合、これらの電源回路用電線とスピーカー回路用電線とが近接した状態となり、スピーカーに音声不良が発生する要因となる虞があった。
【００１１】
したがって、本発明の目的は、特定の電線への電磁波ノイズの侵入を低減して複数の電線を結束することができる布線治具、布線板ユニット及び電線の結束方法を提供することにある。
【課題を解決するための手段】
【００１２】
前記課題を解決し目的を達成するために、請求項１に記載された発明は、複数の電線を結わいて、これらの電線を布線板に布線する布線治具であって、互いに間隔をあけて平行で且つ互いの間に前記複数の電線を通す一対の保持棒を有した治具本体を備え、前記治具本体には、前記一対の保持棒の間を三つに仕切る一対の仕切り棒が設けられていることを特徴とする布線治具である。
【００１３】
請求項２に記載された発明は、表面上に複数の電線を布線する布線パターンが形成された布線板と、前記布線板から立設し、且つ、前記複数の電線を結わいてこれらの電線を前記布線板に布線する布線治具と、を備えた布線板ユニットにおいて、前記布線治具が、互いに間隔をあけて平行で且つ互いの間に前記複数の電線を通す一対の保持棒と、前記一対の保持棒の間を三つに仕切る一対の仕切り棒とを有した治具本体を備え、前記布線治具が、前記布線パターンの前記複数の電線が互いに異なる方向に分岐する分岐部に配置されていることを特徴とする布線板ユニットである。
【００１４】
請求項３に記載された発明は、請求項２に記載の発明において、前記布線治具が、前記分岐部に設けられた前記布線治具の間で且つ前記布線パターンの直線状をなす直線部に更に設けられていることを特徴とするものである。
【００１５】
請求項４に記載された発明は、互いに間隔をあけて平行で且つ互いの間に前記複数の電線を通す一対の保持棒と、前記一対の保持棒の間を三つに仕切る一対の仕切り棒とを有した治具本体を備えた布線治具を用いた電線の結束方法において、互いに隣り合う一方の保持棒と一方の仕切り棒との間に、前記複数の電線のうち電源からの電力を供給する電源回路用電線を通し、且つ、互いに隣り合う他方の保持棒と他方の仕切り棒との間に、前記複数の電線のうち特定の電線を通すとともに、前記一対の仕切り棒の間に、前記複数の電線のうち前記電源回路用電線及び前記特定の電線を除いた他の電線を通した後、前記複数の電線の外周に結束部材を巻いて当該複数の電線を結束することを特徴とする電線の結束方法である。
【００１６】
請求項１に記載された本発明によれば、互いに間隔をあけて平行で且つ互いの間に複数の電線を通す一対の保持棒を有した治具本体に、一対の保持棒の間を三つに仕切る一対の仕切り棒が設けられているので、布線治具が複数の電線を布線板に布線した際に、複数の電線を治具本体の一対の保持棒の間の所望の位置に位置づけることができる。
【００１７】
請求項２に記載された本発明によれば、互いに間隔をあけて平行で且つ互いの間に複数の電線を通す一対の保持棒と、該一対の保持棒の間を三つに仕切る一対の仕切り棒とを有した治具本体を備えた布線治具が、布線パターンの複数の電線が互いに異なる方向に分岐する分岐部に配置されているので、布線治具が互いに異なる方向に分岐する複数の電線を治具本体の一対の保持棒の間の所望の位置に位置づけて、布線板に布線することができる。
【００１８】
請求項３に記載された本発明によれば、布線治具が、分岐部に設けられた布線治具の間で且つ布線パターンの直線状をなす直線部に更に設けられているので、布線治具が布線パターンの分岐部間の複数の電線が直線状となる位置においても、該複数の電線を治具本体の一対の保持棒の間の所望の位置に位置づけることができる。
【００１９】
請求項４に記載された本発明によれば、互いに隣り合う一方の保持棒と一方の仕切り棒との間に複数の電線のうち電源からの電力を供給する電源回路用電線を通し、且つ、互いに隣り合う他方の保持棒と他方の仕切り棒との間に複数の電線のうち特定の電線を通すとともに、一対の仕切り棒の間に複数の電線のうち前記電源回路用電線及び前記特定の電線を除いた他の電線を通した後、複数の電線の外周に結束部材を巻いて当該複数の電線を結束するので、布線治具によって複数の電線を布線板に布線した際に、電源回路用電線と特定の電線とを近接させずに治具本体の一対の保持棒の間に位置づけた状態で、結束部材によって複数の電線を結束することができる。
【発明の効果】
【００２０】
以上説明したように、請求項１に記載の本発明は、布線治具が複数の電線を布線板に布線した際に、複数の電線を治具本体の一対の保持棒の間の所望の位置に位置づけることができるので、電源回路用電線と該電源回路用電線の発する電磁波ノイズの影響を受けやすい特定の電線とを一緒に布線する場合、電源回路用電線と特定の電線とを近接させずに治具本体の一対の保持棒の間に位置づけることができ、よって、特定の電線への電磁波ノイズの侵入を低減することができる。
【００２１】
請求項２に記載の本発明は、布線治具が互いに異なる方向に分岐する複数の電線を治具本体の一対の保持棒の間の所望の位置に位置づけて、布線板に布線することができるので、電源回路用電線と該電源回路用電線の発する電磁波ノイズの影響を受けやすい特定の電線とを一緒に布線する場合、電源回路用電線と特定の電線とを近接させずに治具本体の一対の保持棒の間に位置づけて布線板に布線することができ、よって、特定の電線への電磁波ノイズの侵入を低減することができる。
【００２２】
請求項３に記載の本発明は、布線治具が布線パターンの分岐部間の複数の電線が直線状となる位置においても、該複数の電線を治具本体の一対の保持棒の間の所望の位置に位置づけることができるので、電源回路用電線と該電源回路用電線の発する電磁波ノイズの影響を受けやすい特定の電線とを一緒に布線する場合、電源回路用電線と特定の電線とを近接させずに治具本体の一対の保持棒の間に確実に位置づけることができ、よって、特定の電線への電磁波ノイズの侵入を確実に低減することができる。
【００２３】
請求項４に記載の本発明は、布線治具によって複数の電線を布線板に布線した際に、電源回路用電線と特定の電線とを近接させずに治具本体の一対の保持棒の間に位置づけた状態で、結束部材によって複数の電線を結束することができるので、電源回路用電線と特定の電線とを近接させずに複数の電線を結束することができ、よって、特定の電線への電磁波ノイズの侵入を低減して複数の電線を結束することができる。
【発明を実施するための最良の形態】
【００２４】
以下、本発明の一実施形態にかかる布線治具としての分岐用結わき具１を図１乃至図７を参照して説明する。図１に示された分岐用結わき具１は、布線板１０の所望箇所に取り付けられて、ワイヤハーネス２（図４などに示す）を組み立てる際に用いられる。
【００２５】
ワイヤハーネス２は、図４に示すように、複数の電線４と、これらの電線４の端末４ａに取り付けられたコネクタ５と、前記電線４の所望箇所に取り付けられる図示しないプロテクタやグロメットなどの外装品を備えている。
【００２６】
複数の電線４は、それぞれ、導電性の金属で構成される芯線と、該芯線を被覆する絶縁性の合成樹脂で構成される被覆部とを備えた所謂被覆電線である。コネクタ５は、導電性の板金などで構成される端子金具と、該端子金具を収容するコネクタハウジングとを備えている。端子金具は、電線４の端末４ａに取り付けられて、該電線４の芯線と電気的に接続する。
【００２７】
コネクタハウジングは、絶縁性の合成樹脂で構成されて箱状に形成されている。コネクタハウジングには、互いに平行な端子収容室が複数設けられている。端子収容室は、直線状に延在しかつコネクタハウジング内に設けられた空間であり、前述した端子金具を収容する。
【００２８】
前述したプロテクタやグロメットなどの外装品は、前述した電線４の所望箇所を収容して、該電線４の所望箇所を保護する。
【００２９】
前述したワイヤハーネス２は、前述した複数の電線４を所望の形状に束ね且つこれらの電線４の所望箇所に図示しないプロテクタやグロメットなどの外装品を組み付けて、該電線４の外周に結束部材としてのテープ８（図６に示す）を巻回して（巻き付けて）構成されている。この複数の電線４の結束方法の詳細については後述する。
【００３０】
分岐用結わき具１は、図１に示す布線板ユニット６を構成している。布線板ユニット６は、図７に示すように、工場のフロア上などに複数設置される。布線板ユニット６は、フロア上の輪（無端）状の移動経路５０に沿って移動されながら、作業員などにより複数の電線４が布線される。このとき、布線板ユニット６は、例えば、矢印Ｋに沿って移動する。矢印Ｋは、布線板ユニット６の移動方向をなしている。
【００３１】
布線板ユニット６は、図１に示すように、布線板１０と、結わき具１２と、分岐用結わき具１とを備えている。
【００３２】
布線板１０は、図１に示すように、平板状に形成されている。布線板１０の表面１０ａには、コネクタ５（図４に示す）や前述した図示しないプロテクタやグロメットなどの外装品を示す模様や、ワイヤハーネス２の複数の電線４を布線するための布線パターン１１が形成されている。布線パターン１１は、前述したワイヤハーネス２の平面形状に沿った前記布線板１０の表面１０ａに形成された模様である。
【００３３】
布線パターン１１は、複数の電線４が互いに異なる方向に分岐する複数の分岐部Ｂ（図１に示す複数の電線４が２方向以上に分岐する箇所）と、該複数の分岐部Ｂの間で且つ当該布線パターン１１の直線状をなす直線部Ｓ１と、分岐部Ｂから直線状に延びる第２直線部Ｓ２とを備えている。
【００３４】
結わき具１２は、布線板１０の表面１０ａに取り付けられている。結わき具１２は、図１に示すように、円柱状の支柱１３と、電線保持部１４とを一体に備えている。支柱１３は、布線板１０の表面１０ａから立設している。電線保持部１４は、側方から見てＵ字状に形成されている。電線保持部１４は、支柱１３の上端に連なっている。
【００３５】
結わき具１２は、それぞれ電線４を結わくことができる。結わき具１２は、それぞれ電線４を結わくことで、該複数の電線４を布線板１０の表面１０ａ上に位置決めする。結わき具１２は、布線板１０の表面１０ａ上に形成された布線パターン１１の第２直線部Ｓ２の端部Ｅに対応する位置にそれぞれ配置されている。即ち、結わき具１２は、それぞれ、複数の電線４の端末４ａを、布線板１０の表面１０ａ上の布線パターン１１の第２直線部Ｓ２の端部Ｅに位置決めすることのできる位置に設置されている。
【００３６】
分岐用結わき具１は、布線板１０の表面１０ａに取り付けられている。分岐用結わき具１は、布線板１０の表面１０ａ上に形成された布線パターン１１の複数の分岐部Ｂに対応する位置にそれぞれ配置されている。即ち、分岐用結わき具１は、それぞれ、複数の電線４が互いに異なる方向に分岐する箇所を、布線板１０の表面１０ａ上の布線パターン１１の分岐部Ｂに位置決めすることのできる位置に設置されている。
【００３７】
分岐用結わき具１は、図２及び図３に示すように、支柱１５と、治具本体としての本体部１６とを備えている。支柱１５は、円柱状に形成されて、布線板１０の表面１０ａから立設している。即ち、支柱１５は、布線板１０に設置されている。
【００３８】
本体部１６は、連結棒１７と、一対の保持棒１８ａ，１８ｂと、一対の仕切り棒１９ａ，１９ｂとを備えている。連結棒１７は、略円柱状の棒状に形成されており、その長手方向の中央部に支柱１５の布線板１０から離れた側の上端が連なっている。連結棒１７は、その長手方向が布線板１０の表面１０ａと平行に配されている。
【００３９】
一対の保持棒１８ａ，１８ｂは、それぞれ、略円柱状に形成されており、連結棒１７の両端部から直線状に延びている。一対の保持棒１８ａ，１８ｂは、互いに間隔をあけて平行に配されている。一対の保持棒１８ａ，１８ｂは、その長手方向が布線板１０の表面１０ａと直交（交差）している。
【００４０】
一対の仕切り棒１９ａ，１９ｂは、それぞれ、略円柱状に形成されており、一対の保持棒１８ａ，１８ｂの間を三つに仕切るように連結棒１７から直線状に延びている。一対の仕切り棒１９ａ，１９ｂは、互いに間隔をあけて平行に配されているとともに、一対の保持棒１８ａ，１８ｂと平行となるように設けられている。
【００４１】
前述した構成の分岐用結わき具１は、一対の保持棒１８ａ，１８ｂ間で且つ連結棒１７上に複数の電線４を位置づけて、該複数の電線４を布線板１０の表面１０ａ上の布線パターン１１の分岐部Ｂに対応する位置に位置決めする。
【００４２】
また、本実施形態では、分岐用結わき具１は、互いに隣り合う一方の保持棒１８ａと一方の仕切り棒１９ａとの間に、複数の電線４のうち電源と接続して当該電源からの電力を供給するための電源回路用電線４（以下、符号４Ａで示す）を通し、且つ、互いに隣り合う他方の保持棒１８ｂと他方の仕切り棒１９ｂとの間に、複数の電線４のうち特定の電線４（以下、符号４Ｂで示す）を通す。この特定の電線４Ｂとは、用途上、電源の電力によって発生する電磁波ノイズを拾いたくない（影響を受け易い）電線、例えば、スピーカーの音声電力を供給する電線などである。
【００４３】
そして、分岐用結わき具１は、一対の仕切り棒１９ａ，１９ｂの間に、複数の電線のうち電源回路用電線４Ａ及び特定の電線４Ｂを除いた他の電線４（以下、符号４Ｃで示す）を通して、これらの電源回路用電線４Ａと特定の電線４Ｂと他の電線４Ｃとを連結棒１７上に位置づけて、布線板１０の表面１０ａ上の布線パターン１１の分岐部Ｂに対応する位置に位置決めする。
【００４４】
前述した構成の布線板ユニット６を用いて、複数の電線４を結束する際には、まず、作業員が、布線板１０の布線パターン１１にしたがって、結わき具１２にコネクタ５付きの電線４を複数結わくとともに、これらの複数の電線４のうち電源回路用電線４Ａを分岐用結わき具１の本体部１６の一方の保持棒１８ａと一方の仕切り棒１９ａとの間に通し、且つ、特定の電線４Ｂを他方の保持棒１８ｂと他方の仕切り棒１９ｂとの間に通すとともに、電源回路用電線４Ａ及び特定の電線４Ｂを除いた他の電線４Ｃを一対の仕切り棒１９ａ，１９ｂの間に通して、連結棒１７上に位置づける。
【００４５】
こうして、複数の電線４とコネクタ３とを布線板１０に位置決めして、該電線４を所望形状に布線（配線または配索ともいう）する。このとき、勿論、前述した分岐部Ｂでは、図１及び図４に示すように、本体部１６の互いに隣り合う一方の保持棒１８ａと一方の仕切り棒１９ａとの間に電源回路用電線４Ａを通し、且つ、互いに隣り合う他方の保持棒１８ｂと他方の仕切り棒１９ｂとの間に特定の電線４Ｂを通すとともに、一対の仕切り棒１９ａ，１９ｂの間に電源回路用電線４Ａ及び特定の電線４Ｂを除いた他の電線４Ｃを通して、これらの複数の電線４を布線板１０の表面１０ａ上の布線パターン１１の分岐部Ｂに対応する位置に位置決めする。
【００４６】
次に、前記布線板１０が移動経路５０に沿って無端走行する間に、前記複数の電線４の所望箇所にプロテクタやグロメットなどの外装品を組み付けるとともに、前記複数の電線４の外周にテープ８を巻きつけて該複数の電線４を結束して、ワイヤハーネス２を形成する。
【００４７】
そして、前述した布線パターン１１の分岐部Ｂに配置された分岐用結わき具１の間で且つ該布線パターン１１の直線部Ｓ１に位置する複数の電線４をテープ８によって結束した際には、図５及び図６に示すように、電源回路用電線４Ａと特定の電線４Ｂとの間に他の電線４Ｃが介在した状態で束ねられることとなり、これらの複数の電線４の外周にテープ８を巻きつけることによって、電源回路用電線４Ａと特定の電線４Ｂとが近接することなく結束される。
【００４８】
本実施形態によれば、分岐用結わき具１が複数の電線４を布線板１０に布線した際に、該複数の電線４を本体部１６の一対の保持棒１８ａ，１８ｂの間の所望の位置に位置づけることができるので、電源回路用電線４Ａと該電源回路用電線４Ａの発する電磁波ノイズの影響を受けやすい特定の電線４Ｂとを一緒に布線する場合、電源回路用電線４Ａと特定の電線４Ｂとを近接させずに本体部１６の一対の保持棒１８ａ，１８ｂの間に位置づけることができ、よって、特定の電線４Ｂへの電磁波ノイズの侵入を低減することができる。
【００４９】
また、分岐用結わき具１が互いに異なる方向に分岐する複数の電線４を本体部１６の一対の保持棒１８ａ，１８ｂの間の所望の位置に位置づけて、布線板１０に布線することができるので、電源回路用電線４Ａと該電源回路用電線４Ａの発する電磁波ノイズの影響を受けやすい特定の電線４Ｂとを一緒に布線する場合、電源回路用電線４Ａと特定の電線４Ｂとを近接させずに本体部１６の一対の保持棒１８ａ，１８ｂの間に位置づけて布線板１０に布線することができ、よって、特定の電線４Ｂへの電磁波ノイズの侵入を低減することができる。
【００５０】
さらに、分岐用結わき具１によって複数の電線４を布線板１０に布線した際に、電源回路用電線４Ａと特定の電線４Ｂとを近接させずに本体部１６の一対の保持棒１８ａ，１８ｂの間に位置づけた状態で、テープ８によって複数の電線４を結束することができるので、電源回路用電線４Ａと特定の電線４Ｂとを近接させずに、これらの複数の電線４を結束することができ、よって、特定の電線４Ｂへの電磁波ノイズの侵入を低減して複数の電線４を結束することができる。
【００５１】
また、前述した実施形態では、分岐用結わき具１が、布線板１０の表面１０ａ上に形成された布線パターン１１にしたがって、複数の電線４の分岐部Ｂに対応する位置に配されていた。しかしながら、本発明では、図８に示すように、分岐用結わき具１を分岐部Ｂに設けられた分岐用結わき具１の間の布線パターン１１の直線状をなす直線部Ｓ１に更に設けても良い。なお、図８において、前述した実施形態と同一部分には、同一符号を付して説明を省略する。
【００５２】
図８に示された場合では、布線板１０の表面１０ａ上に形成された布線パターン１１の分岐部Ｂに対応する位置に配置された分岐用結わき具１（以下、符号１Ａで示す）の間で且つ該布線パターン１１の直線状をなす直線部Ｓ１に対応する位置に、更に分岐用結わき具１（以下、符号１Ｂで示す）が配置されている。
【００５３】
また、分岐用結わき具１Ｂは、分岐部Ｂに配置された分岐用結わき具１Ａと所定の間隔Ｔ（本実施例では、約２０ｃｍ）をあけて直線部Ｓ１に配置されている。即ち、分岐用結わき具１Ｂは、布線板１０の表面１０ａ上の布線パターン１１の直線部Ｓ１に複数の電線４を位置決めすることのできる位置に設置されている。
【００５４】
そして、図８に示された場合では、分岐用結わき具１Ｂが布線パターン１１の分岐部Ｂ間の複数の電線４が直線状となる位置（布線パターン１１の直線部Ｓ１）においても、該複数の電線４を本体部１６の一対の保持棒１８ａ，１８ｂの間の所望の位置に位置づけることができるので、電磁波ノイズを発する電源回路用電線４Ａと電磁波ノイズの影響を受けやすい特定の電線４Ｂとを一緒に布線する場合、電源回路用電線４Ａと特定の電線４Ｂとを近接させずに本体部１６の一対の保持棒１８ａ，１８ｂの間に確実に位置づけることができ、よって、特定の電線４Ｂへの電磁波ノイズの侵入を確実に低減することができる。
【００５５】
前述した実施形態では、結束部材としてテープ８を用いている。しかしながら、本発明では、電線４を結束するものであれば、結束部材として種々の物品を用いても良い。
【００５６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５７】
【図１】本発明の一実施形態にかかる分岐部用結わき具及び布線板を備えた布線板ユニットを示す斜視図である。
【図２】図１に示された布線板の要部を示す斜視図である。
【図３】図２のＩＩＩ−ＩＩＩ線に沿う部分断面図である。
【図４】図１に示された布線板ユニットの布線板に複数の電線を布線した状態を示す説明図である。
【図５】図２に示された分岐部用結わき具に複数の電線を通した状態を示す部分断面図である。
【図６】図５に示された複数の電線を結束部材で結束した状態を示す説明図である。
【図７】図１に示されたた布線板が工場のフロア上などに複数設置された状態を示す説明図である。
【図８】図４に示されたた布線板ユニットの布線板に設置された分岐部用結わき具の別の設置例を示す説明図である。
【符号の説明】
【００５８】
１  分岐部用結わき具（布線治具）
４  電線
４Ａ  電源回路用電線
４Ｂ  特定の電線
４Ｃ  他の電線
６  布線板ユニット
８  テープ（結束部材）
１０  布線板
１０ａ  表面
１１  布線パターン
１６  本体部（治具本体）
１８ａ，１８ｂ  保持棒
１９ａ，１９ｂ  仕切り棒
Ｂ  分岐部
Ｓ１  直線部
【図１】
2009037898.tif 000003
【図２】
2009037898.tif 000004
【図３】
2009037898.tif 000005
【図４】
2009037898.tif 000006
【図５】
2009037898.tif 000007
【図６】
2009037898.tif 000008
【図７】
2009037898.tif 000009
【図８】
2009037898.tif 000010